【事件の表示】
　特許第３０７２８１７号「記録紙、これを用いた画像形成方法および記録紙の製造方法」の請求項１ないし７に係る特許に対する特許異議の申立てについて、次のとおり決定する。
【結　論】
　訂正を認める。
　特許第３０７２８１７号の請求項７に係る特許を取り消す。
　同請求項１ないし６に係る特許を維持する。
【理　由】
Ｉ．手続の経緯
　本件特許第３０７２８１７号の請求項１〜７に係る発明についての出願は、平成５年１１月４日に出願され、平成１２年６月２日にその発明について特許権の設定登録がなされ、その後、城川明子より特許異議の申立がなされ、取消理由通知がなされ、その指定期間内である平成１３年７月９日に訂正請求がなされ、さらに訂正拒絶理由通知がなされ、その指定期間内である平成１３年１０月９日に上記訂正請求についての手続補正書が提出されたものである。
　
II．訂正の適否について
１．特許権者が求めている訂正
　上記手続補正書による補正は、平成１３年７月９日付け訂正請求書による訂正の訂正事項の一部である訂正事項ａ、訂正事項ｃ、及び訂正事項ｄ、を削除するものであるから、訂正の要旨を変更するものではない。
　よって、上記手続補正書により適法に補正された特許権者が求めている訂正は、次のとおりである。
　
２．訂正の内容
　訂正事項ａ
　特許請求の範囲の請求項２にある「坪量が６０〜９０ｇ／ｍ２の範囲にある請求項１に記載の記録紙。」を、「溶剤中に、少なくとも黒染料及び窒素化合物を含む黒インクを用いた記録用及びトナーを用いた電子写真方式による記録用であり、坪量が６０〜９０ｇ／ｍ２の範囲にある請求項１に記載の記録紙。」と訂正する。
　
３．訂正の目的の適否、新規事項の有無、及び特許請求の範囲の拡張・変更の存否
　上記訂正事項ａは、請求項２における記録紙の用途を限定するものであって、明細書の【００４３】の表１における実施例１〜４での電子写真適性がａまたはｂである点、黒色染料及び窒素化合物を含むインクジェット記録での黒の色味が〇または△である点に基づくものであり、特許請求の範囲の減縮を目的とする訂正に該当する。
　よって、上記訂正事項ａは、特許法第１２０条の４第２項ただし書き第１号に規定する特許請求の範囲の減縮に該当するものであり、また、上記訂正事項ａは、願書に添付された明細書又は図面に記載した事項の範囲内の訂正であり、実質上特許請求の範囲を拡張し、又は変更するものでもない。
　　
３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
III．異議申立てについて
１．異議申立ての概要
　特許異議申立人城川明子は、証拠として下記の甲第１号証〜甲第10号証を提出し、請求項１〜６に係る発明は、甲第１号証〜甲第８号証に記載された発明に基いて当業者が容易に発明をすることができたものであり、請求項１〜６に係る発明の特許は、特許法第２９条第２項の規定に違反してなされたものであり（理由１）、又は請求項７に係る発明は、甲第９号証に記載された発明であるか、又甲第９号証に記載された発明に基いて当業者が容易に発明をすることができたものであるから、請求項７に係る発明の特許は、特許法第２９条第１項第３号、又同条第２項の規定に違反してなされたものであるから、これを取り消すべき旨主張している。
　　　　　　　　　　　　　　　記
甲第１号証：特開昭６１−１７２７８７号公報（以下「刊行物１」という）甲第２号証：特開平３−３３２９８号公報（以下「刊行物２」という）
甲第３号証：特開平２−１４０２７０号公報（以下「刊行物３」という）
甲第４号証：特開昭５６−８９５９４号公報（以下「刊行物４」という）
甲第５号証：「情報産業用紙」紙業タイムス社編、第１３９〜１４９頁、昭和５６年４月１０日発行（以下「刊行物５」という）
甲第６号証：「インクジェット記録技術」（株）トリケップス出版部編、第１６１〜１７５頁、平成元年８月１５日発行（以下「刊行物６」という）
甲第７号証：特開平５−１７７９２１号公報（以下「刊行物７」という）　甲第８号証：特開平５−１７７１５号公報（以下「刊行物８」という）　　甲第９号証：特開平４−３３１１８２号公報（以下「刊行物９」という）
甲第10号証：ＪＩＳ　Ｐ　０００１−１９７９「紙パルプ用語」（以下「刊行物10」という）
　   
２．訂正明細書の請求項１〜７に係る発明
　訂正明細書の特許請求の範囲の請求項１〜７に係る発明は、その請求項１〜７に記載された次のとおりのものである。
　「【請求項１】原紙の表面にカチオン性化合物およびでんぷんを塗布し、前記カチオン性化合物により前記原紙のｐＨが低下して表面ｐＨが６．０〜７．５の範囲にあり、かつステキヒトサイズ度が１６〜４０秒の範囲にあることを特徴とする記録紙。
　【請求項２】溶剤中に、少なくとも黒染料及び窒素化合物を含む黒インクを用いた記録用及びトナーを用いた電子写真方式による記録用であり、坪量が６０〜９０ｇ／ｍ２の範囲にある請求項１に記載の記録紙。
　【請求項３】密度が０．６〜０．８ｇ／ｍ３の範囲にある請求項１に記載の記録紙。
　【請求項４】ＭＤ方向が５０〜１３０ｃｍ３／１００の範囲にあり、ＣＤ方向が２５〜１００ｃｍ３／１００の範囲にある剛直度を有する請求項１に記載の記録紙。
　【請求項５】感光体上の静電荷像をトナーを有する現像手段により現像し、トナーにより現像されて形成された感光体上のトナー像を転写材に転写手段を用いて転写し、及び転写されて転写材上に形成されているトナー像を２本のローラー対にて圧力、熱またはその両方の作用を付加する定着手段により定着し定着画像を形成する画像の形成方法において、該転写材が請求項１乃至４に記載の記録紙であることを特徴とする画像形成方法。
　【請求項６】染料、低沸点溶剤、不揮発性溶剤及び窒素化合物を含むインクを記録紙に付与して記録を行なうインクジェット記録方式であって、該記録紙が請求項１乃至４に記載の記録紙であることを特徴とする画像形成方法。
　【請求項７】カチオン性化合物およびでんぷんを含み、かつ原紙のｐＨよりも小さいｐＨを持つ液を、前記原紙上に塗工することを特徴とする記録紙の製造方法。」　
　
３．各刊行物記載の発明
（１）刊行物１：（特開昭６１−１７２７８７号公報）
（１−ａ）「（１）記録材として、水溶性染料を含有するインクを使用し、被記録材として基材と該基材上に設けられたインク受容層からなるものを使用し、上記インクの小滴を被記録材に付着させることにより記録を行うインクジェット記録方法において、前記基材が中性抄紙紙であることを特徴とするインクジェット記録方法。」（特許請求の範囲（１））
（１−ｂ）「従来、基材として広く使用されている紙は殆どすべてが酸性抄紙による紙であり、これらの酸性抄紙中には多量の酸成分、特に硫酸バンド（硫酸アルミニウム）が包含されており、これらの硫酸バンド等が紙上に形成されているインク受容層中に移行あるいはインク受容層に悪影響し、インク受容層を変質させるとともに、このような硫酸バンドによって、インク中の染料の発色不良や、記録後の染料の変色や褐色が生じるものであることを知見したものである。」（第２頁右下欄第１７〜第３頁左上欄７行）
（１−ｃ）「本発明において使用する中性抄紙紙とは、抄紙工程において、・・・アルキルケテンダイマー酸の如き抄紙助剤を使用し、中性で抄紙して得られる紙であり、・・・酸性抄紙紙に比べて長期（数１０年〜数１００年）保存後にも、紙力強度が低下しない紙として注目されているものである。」（第３頁左上欄第１８〜右上欄５行）
　「本発明において使用する上記の如き中性抄紙紙は、・・・約４０〜１５０ｇ／ｍ２の坪量を有するものである。また、これらの中性抄紙紙上に設けられるインク受容層中には、従来公知の耐水化剤、例えば、・・・ポリエチレンイミン、ポリアリルアミン、・・・、約０．００１〜０．５ｇ／ｍ２の割合で添加してもよい。・・・
　すなわち、上記基材である中性抄紙紙上に設けるインク受容層は、主として水性のインキを受容できる親水性の材料から形成されるものであって、・・・でんぷん、カチオンでんぷん、・・・等の合成樹脂があげられ、これらの１種以上が所望により使用される。」（第３頁右上欄第１２〜左下欄２０行）
（１−ｄ）実施例２には、実施例１の抄紙工程において、中性抄紙用助剤としてアルキルケテンダイマーを使用して、坪量５０ｇ／ｍ２、サイズ度３０秒の中性抄紙紙を得たことを除いて、実施例１と同様にして被記録材を得たこと（第６頁右上欄第１４〜２０行）、実施例１には、シリカ、ポリビニルアルコール、水からなる組成物を乾燥塗布量２ｇ／ｍ２ になるように塗布し、被記録材としたこと（第６頁左上欄下から３〜右上欄第１３行）、
　実施例３には、実施例２において、組成物をシリカ、ポリビニルアルコール、カチオン性ポリマー、水からなる組成物として被記録材としたことが、記載されている（第６頁左下欄第６〜１６行）。
　
（２）刊行物２：（特開平３−３３２９８号公報）
（２−ａ）「パルプ及び填料としてＢＥＴ比表面積が６ｍ２／ｇ以上、粒径が０．１〜４０μｍ及び平均粒径が１〜２５μｍの軽質炭酸カルシウムをパルプに対して、１０〜１６重量％の割合で含有し、且つサイズ剤を内添したシートに更に外添サイジング剤を施した、次の特性値を有することを特徴とするノンコートタイプインクジェット記録用紙。
　（ａ）ステキヒトサイズ度が１０秒以上、
　　・・・
　（ｈ）ドット光学濃度が０．７８以上。」（請求項１）
（２−ｂ）解決しようとする課題として、「インク吸収速度および耐水性に優れ、さらに従来の発明で十分果たし得なかったドットのにじみ率が小さく、ドット径が小さいが、光学濃度が高く且つ真円度も高い、高速高精細のプリンターに適合するノンコートタイプインクジェット記録用紙およびその製造方法を提供することを目的とする。」（第４頁右下欄第１〜８行）
（２−ｃ）「本発明のインクジェット記録用紙を製造するには、上記のパルプ及び填料に内添サイズ剤を加えてまず紙料を調製し、次に常法により抄造して、好ましくはステキヒトサイズ度が０．５〜１０秒のシートを得たのち、さらに外添サイズ剤によってサイズ剤の均一な分布をはかるとともに製品のステキヒトサイズ度が１０秒以上、好ましくは１０〜５０秒になるようにする。内添サイズ剤とは、一般に中性サイズ剤と呼ばれるアルキルケテンダイマー系サイズ剤、・・・。外添サイズ剤とは、スチレン−アクリル酸コポリマー、スチレン−マレイン酸コポリマー、アルキルケテンダイマー、・・・外添サイズ剤には必要に応じて製膜剤として各種でんぷん、ポリビニルアルコール・・・を加えることができる。また、記録された文字、画像の耐水性、耐光性を高めるために力チオン性のエポキシ樹脂、ポリアリルアミン、・・・ポリアミン、・・・シート１ｍ２当り１ｇ以下付着するように併用する。なお、外添サイズ剤にカチオン性のものを使用することにより、インクの耐水性を付与することも可能である。」（第７頁右上欄第２〜左下欄１３行）
（２−ｄ）実施例２、４〜６、９には、外添剤としてスチレン−アクリル酸コポリマーを用い、ステキヒトサイズ度が１９．６〜２９．９秒の記録用紙を製造したこと、が記載されている（第８頁左上欄第５〜第１０頁右上欄）。
　
（３）刊行物３：（特開平２−１４０２７０号公報）
（３−ａ）「染料、染料組成物、染料の製造方法および染料組成物の製造方法」に関する発明であって、「１．遊離酸の形で、式Ｉ：　（式Ｉ省略）
〔式中ＷはＣＯＯＨを表わし、×はＨ、ＣＯＯＨ、ＳＯ３Ｈ、ハロゲン原子、ヒドロキシ基、・・・ＣＯＯＨ基の数はＳＯ３Ｈの数以上である〕
で示される化合物を有する染料。
　８．アルカリ土類金属、アンモニア、・・・トリエチルアミンから選択される１つ以上の塩基性化合物との塩の形の請求項１から７までのいずれか１項記載の染料。
　９．ナトリウム塩、アンモニウム塩またはナトリウム／アンモニウム混合塩の形の請求項８記載の染料。」（特許請求の範囲１、８、９）
（３−ｂ）「塩基、特にアルカリ金属、アンモニアまたは置換アンモニアおよびこれらの混合物との塩の形で、ＰＨ７．５以上、特にｐＨ７．５〜９．０で、式Iの染料は著しく水溶性であり、一般に１０重量％までまたは１０重量％より上の程度である。しかしこの水溶性はｐＨ７．５より下では著しく低下し、ｐＨ６より下では水および水性媒体中に実際に不溶性である。」（第４頁左下欄第１〜８行）
（３−ｃ）「式Iの染料は、ｐＨ７．５以上、有利にｐＨ７．５〜ｐＨ９で、必要とされるインキのタイプに・・・有利に５〜１５重量％までの通常の濃度で水性媒体に溶解することができるため、適当な技術、特にインキジエツト印刷により紙塗層に塗布できることが見出された。インキを塗層に塗布し、溶剤を蒸発させた後に、染料は紙塗層の表面によりｐＨが決められる。多くの紙塗層の中性のｐＨは、この染料がｐＨ５〜７の環境にあるようにする。この染料の水溶性はｐＨ７より下では著しく低く、実際にｐＨ６ではゼロであるため、これは洗浄による塗層からの除去に対して、より耐性である、つまり高い耐水堅牢度を有している。」（第４頁右下欄下から７〜第５頁左上欄７行）、が記載されている。
　
（４）刊行物４：（特開昭５６−８９５９４号公報）　
（４−ａ）「数個のノズルから色調の異なるインクを噴射し、・・・記録シートに印写するインクジェット記録方法において、各色のインクのｐＨと記録シート表面のｐＨとの差を２以内に保つことを特徴とするインクジェット記録方法。」（特許請求の範囲）
（４−ｂ）「それぞれのインクや記録シートのｐＨが異なる場合には、記録シート上でインクが混合したり、記録シートにインクが付着したときに各インクのｐＨが変化して、本来の色調からずれを生じ、適正な色混合を行わなくなってしまう。」（第２頁左上欄第２〜６行）
（４−ｃ）「記録シートのｐＨの調整は、例えば紙の場合には抄紙工程中や抄紙後の後処理として、酸やアルカリや緩衝剤等のｐＨ調整剤を用いることによって行う。そして、本発明では上記各インクと記録シートのｐＨの差は２以内にする必要がある。このｐＨの差が２を越えると前述の欠点が生じやすいことを見出した。」（第２頁右上欄第１２〜１９行）
（４−ｄ）実施例１、２、比較例には、カラーインクのｐＨが８．０〜１０、４．０〜５．０、（９．０，５．６，８．５）を用いて、記録シートのｐＨが８．０、５．４、５．４なるものに対して記録したこと（第２頁左下欄第５〜第３頁右上欄）、が記載されている。
　
（５）刊行物５：（「情報産業用紙」）
（５−ａ）「3.8.5ＰＰＣ用紙の材料と製法」の項には、「ＰＰＣといえば普通紙複写と定義されるように、ＰＰＣ用紙は外観上は一般の印刷用上質紙と何ら変わるところはないが、専門的に見ればＰＰＣハードに良くマッチングするように製造された用紙ということができる。」（第１４５頁）
（５−ｂ）「表3-8-3　ＰＰＣ用紙の主な仕様」には、坪量として「６０〜７０ｇ／ｍ２」、「表3-8-4　ＰＰＣ用紙（乾式）の分析値例」には、「坪量（ｇ／ｍ２）」が「６７．８、６７．５」であるものは、「緊度」が「０．７８、０．７０」で、「剛度タテ（クラーク）（ｃｍ３／１００）」が「５３、７９」、「剛度ヨコ（クラーク）（ｃｍ３／１００）」が「２９、３７」であること（第１４５頁表）、が記載され、
（５−ｃ）「図3-8-3Ｃａｒｓｏｎ法の基本プロセス」には、「１帯電工程、２露光工程、３現像工程、４転写工程、５定着工程」（第１４０頁）、「図3-8-5ゼロックス９２００の主な仕様」には、ヒートローラーの定着装置として一対のロール（第１４１頁）、が図示されている。
　
（６）刊行物６：（「インクジェット記録技術」）
（６−ａ）「３　用紙の設計」の項には、「現在市販されているインクジェット用紙は（１）ノンコートタイプ紙（２）コートタイプ紙に大別される。ノンコートタイプ紙は、一般印刷用上質紙に近いもので、」（第１６５頁第６〜９行）
（６−ｂ）「表４　市販インクジェット用紙の紙物性表」の「ノンコートタイプインクジエット用紙」の欄には、サンプル名Ｇ、Ｈとして、「坪量ｇ／ｍ２」が「７０．２、６１．３」、「密度ｇ／ｃｍ３」が「０．７２、０．７３」、「剛直度縦（ｃｍ３／ｌ００）」が「９３、６８」であること、
　「（３）剛直度」の項には、「吸収性に特に影響を与えないが、プリンター走行性には影響がある。」こと（第１７０頁表４、下から５行）、が記載されている。
　
（７）刊行物７：（特開平５−１７７９２１号公報）
　「記録用紙」に関する発明が記載され、「本発明の目的は、トナー定着性にすぐれた電子写真用転写紙でありながらインクジェット用紙として使用した場合にも、十分な印字品質が得られる記録用紙を提供することにある。」（第２頁右欄第４１〜４４行）が、記載されている。
　
（８）刊行物８：（特開平５−１７７１５号公報）
（８−ａ）「【請求項１】 染料、水溶性有機溶剤及び水を含有するインクにおいて、前記染料として少なくともＣ．Ｉ．ダイレクトブラック５１と、下記一般式（１）及び（２）で表わされる化合物の少なくとも１種とを含有することを特徴とするインク。　（式（１）（２）括弧書きは、省略）
【請求項３】一般式（１）で表わされる化合物が下記式で表される化合物である請求項１に記載のインク。 （式（１）括弧書きは、省略）」（請求項１、３）
（８−ｂ）【産業上の利用分野】について、いわゆる普通紙に記録したときに、とりわけ記録画像の濃度が高く、記録画像の耐水性に優れ、高画質の画像が得られる新規なインク（記録液）、これを用いたインクジェット記録方法及びかかるインクを用いた機器に関すること（【０００１】）
（８−ｃ）インクについて、水溶性有機溶剤として少なくとも多価アルコールを含有すること、使用する多価アルコールは高沸点溶剤であり、ノズルの目詰り防止を目的として使用され、多価アルコールの中でも好ましいものはジエチレングリコール及びチオジグリコールであること（【００１３】）
（８−ｄ）インクに尿素或いはチオ尿素を添加することについて、インク中での染料分子の会合を妨げる為に目詰り防止効果を向上させ、インクの染料濃度をより高くでき、その他に長期保存中に徐々に分解してアンモニアを発生し、これがインクのｐＨの低下を防ぎ、その結果染料の析出を防止してインクの保存寿命を格段に長くすることが出来ること（【００１４】）、が記載されている。
　
（９）刊行物９：（特開平４−３３１１８２号公報）
（９−ａ）「炭酸カルシウムを含み、その冷水抽出ｐＨが７．０以上である基紙の少なくとも一方の表面に、リン酸塩を０．０１〜５．０ｇ／ｍ２付与したことを特徴とするインクジェット記録用紙。」（【請求項１】）
（９−ｂ）「塗工液には、必要に応じて、通常表面サイズに使用する高分子、例えば、でんぷん、ポリビニルアルコール、カルボキシメチルセルロース等を併用することができる。」（【００１７】）
（９−ｃ）「更に、記録画像の耐水性を向上させるため、塗工液にカチオン性高分子電解質等を添加することができる。これらのカチオン性高分子電解質としては、例えば、ポリビニルベンジルトリメチルアンモニウムハライド、ポリジメチルアミノエチルメタクリレート塩酸塩、・・・等の第４級アンモニウム塩類の重合物又は共重合物等を挙げることができる。」（【００１８】）
（９−ｄ）実施例１には、ＬＢＫＰ（ｃ．ｓ．ｆ．４００ｍｌ）９４重量部、軽質炭酸カルシウム（紡垂形）６重量部、内添サイズ剤（アルキルケテンダイマー系）０．０２重量部、カチオン化でんぷん０．５重量部を配合して坪量６４．０ｇ／ｍ２ 、冷水抽出ｐＨ８．１の上質紙を抄紙し、次に、酸化でんぷん５％、リン酸水素二ナトリウム２．４％に調整した塗工液（ｐＨ８．６）をサイズプレスコートして、インクジェット記録用紙を得た。この時のリン酸水素二ナトリウムの塗工量は、１．４ｇ／ｍ２であった。このインクジェット記録用紙をインクジェットプリンター（シャープ株式会社製：商品名：ＩＯ−７２５）で記録した結果を表１に示した。尚、表中のドット濃度はマクベス反射濃度計を用いて測定した値であり、発色の均一性は、ベタ部の目視評価をしたときに、濃度ムラのないものを〇、濃度ムラのあるものを×として記載したこと（【００２２】〜【００２４】）
（９−ｅ）実施例２として、実施例１で抄紙した上質紙に、酸化でんぷん５％含有するリン酸二水素ナトリウム０．６％水溶液（ｐＨ５．０）から成る塗工液をロールコートし、リン酸二水素ナトリウムの塗工量は、０．４ｇ／ｍ２としたこと（【００２５】）、
　実施例３として、ＬＢＫＰ９４重量部、軽質炭酸カルシウム６重量部、内添サイズ剤０．０３重量部、カチオン化でんぷん０．５重量部を配合して坪量７５．０ｇ／ｍ２、冷水抽出ｐＨ８．３の上質紙を抄紙し、次に、酸化でんぷん５％、リン酸二水素ナトリウム２．４％に調整した塗工液（ｐＨ４．６）をバーコートして、インクジェット記録用紙を得たこと（【００２６】）、
　実施例４として、実施例３で抄紙した上質紙に、ポリビニルアルコール２％含有リン酸二水素ナトリウム０．６％水溶液（ｐＨ５．０）から成る塗工液をロールコートしたこと（【００２７】）
（９−ｆ）実施例６として、「実施例１で抄紙した上質紙に、酸化でんぷん５％、表面サイズ剤（アクリル系）０．１％、ポリビニルベンジルトリメチルアンモニウムクロライド０．４％、ポリメタリン酸ナトリウム（三メタリン酸ナトリウム及び四メタリン酸ナトリウムの混合物）０．２％水溶液から成る塗工液（ｐＨ６．２）をサイズプレスコートし、ポリメタリン酸ナトリウムの塗工量を、０．２ｇ／ｍ２とした。得られたインクジェット記録用紙について実施例１と同様に評価した結果を表１に示した。」（【００２９】）、が記載されている。
　
（１０）刊行物１０：（ＪＩＳ「紙パルプ用語」）
　用語「こわさ」欄に、「紙及び板紙に曲げを与えたときの抵抗性を表す性質。腰、剛度ともいう。」（番号７０３６）、用語「サイズ度試験」欄に、「ＪＩＳ　Ｐ ８１２２（紙のステキヒト・サイズ度試験方法）参照」（番号７０３７）、用語「密度」欄に、「紙の単位容積に対する質量。見掛けの比重であり、比容積の逆数。緊度ともいう。」（番号７０９１）、が記載されている。
　
４．対比判断
（１）理由２について
　本件請求項７に係る発明（以下、「本件発明７」という）が、刊行物９に記載された発明であるか否か、検討する。
　刊行物９の実施例６には、上記摘記事項「３（９−ｄ）、（９−ｆ）」によれば、実施例１で抄紙した冷水抽出ｐＨが８．１の上質紙に、酸化でんぷん５％、ポリビニルベンジルトリメチルアンモニウムクロライド０．４％含む塗工液（ｐＨ６．２）をサイズプレスコートし、インクジェット記録用紙を作製したこと、が記載されている。そして、上記塗工液のポリビニルベンジルトリメチルアンモニウムクロライドは、上記摘記事項「３（９−ｃ）」によれば、カチオン性高分子電解質として例示されているものであって、本件発明７の「カチオン性化合物」に相当する。
　そこで、本件発明７と刊行物９の実施例６に記載された発明とを対比する。刊行物９の実施例６では、ｐＨが８．１の上質紙に、酸化でんぷん、カチオン性化合物を含む塗工液（ｐＨ６．２）をサイズプレスコートしており、このことは本件発明７の「カチオン性化合物およびでんぷんを含み、かつ原紙のｐＨよりも小さいｐＨを持つ液を、原紙上に塗工して記録紙を製造すること」になるから、両者は異なる点がない。
　よって、本件発明７は、刊行物９に記載された発明であるから、特許法第２９条第１項第３号に規定する発明に該当し、特許を受けることができないものである。
　
（２）理由１について
　本件請求項１に係る発明（以下、「本件発明１」という）と刊行物１〜８、10に記載された発明とを対比する。
　本件発明１は、従来トナー転写紙であって、十分なインクジェット記録適性を有するものはなく、特に、中性紙であるトナー転写紙をインクジェット記録に用いた際、インクの定着性が不十分で、水溶性の記録剤を用いるために記録画像に十分な耐水性がなく、色剤の発色性が不十分であるのを、電子写真記録用のトナー転写紙として、諸要求性能を満足し、特にトナー定着性に優れ、また、インクジェット記録方式に用いた場合でも、問題点を解決した中性紙をベースとした記録紙を提供することを目的とし（本件明細書【０００７】〜【０００９】）、「（Ａ）原紙の表面に力チオン性化合物およびでんぷんを塗布し、（Ｂ）前記カチオン性化合物により前記原紙のｐＨが低下して表面ｐＨが６．０〜７．５の範囲にあり、（Ｃ）かつステキヒトサイズ度が１６〜４０秒の範囲にある、（Ｄ）記録紙」（本件発明１をＡ〜Ｄと項分けした）なる構成を特徴としている。
　これに対して、刊行物１には、中性抄紙紙である基材に、インク受容層として、でんぷん及びカチオン性化合物を塗布し被記録材とすること、実施例３には、サイズ度が３０秒の中性抄紙紙を用い、シリカ、ポリビニルアルコール、カチオン性ポリマーからなる塗工剤を用い被記録材としたこと、が記載されている。ここでのサイズ度は、原紙での値で被記録材での値ではなく、原紙を塗工処理したものが直ちにこの値になるとも言えないので、刊行物１には、本件発明１の構成（Ａ）（Ｄ）が記載されていることになる。
　刊行物２には、ステキヒトサイズ度が０．５〜１０秒のシートを、さらにでんぷん、カチオン性化合物を含む外添サイズ剤によってサイズ剤の均一な分布をはかるとともに、製品のステキヒトサイズ度が１０〜５０秒にしたノンコートタイプのインクジェット記録用紙が、実施例には、スチレン−アクリル酸コポリマーを用い、ステキヒトサイズ度が１９．６〜２９．９秒の記録用紙を製造したこと、が記載されている。即ち、本件発明１の構成（Ａ）（Ｃ）（Ｄ）が記載されていることになる。
　そこで、本件発明１と刊行物２に記載された発明とを対比すると、刊行物２には、上記本件発明１の構成（Ｂ）即ち、「前記カチオン性化合物により前記原紙のｐＨが低下して表面ｐＨが６．０〜７．５の範囲にあり」としたことの記載がない点で相違している。
　相違点について検討する。刊行物３には、インクジェット用インクの染料として、本件発明１の実施例で用いる染料と同じ構造式の染料が記載されており、また、この染料はｐＨ７．０〜９．０で水溶性であり、ｐＨ６の記録紙に記録した際には、染料が不溶化して耐水性のある着色部が形成できる記録法について、又刊行物４には、各インクのｐＨとシート表面のｐＨの差を２以内に保つこと、実施例では、記録紙としてｐＨ８．０、５．４のものを用いること、が記載されている。
　しかしながら、刊行物３の記載は、染料の発明に関するもので、あくまでもｐＨ６の酸性紙に対して耐水性の画像が形成できることを記載しているに過ぎず、刊行物４の記載は、ｐＨ８．０、５．４の記録紙であって、これは本件発明１で特定する表面ｐＨの数値範囲外のものが記載されているに過ぎない。そして、両者は、原紙をカチオン性化合物により原紙のｐＨが低下して表面ｐＨが６．０〜７．５の範囲にすることをについては、何も示唆するものではない。
　刊行物５、６には、ＰＰＣ記録材、インクジェット記録紙の諸物性値が、刊行物７には、本件発明１と同じく電子写真用であり且つインクジェト記録用記録用紙を提供することを目的とすることが、刊行物８には、インクジェット記録用インクとして、黒色染料及び窒素化合物を含有するものが、そして刊行物10には、ＪＩＳの用語の定義が、記載されているものである。
　そうすると、刊行物３〜８、10の記載には、原紙をカチオン性化合物により原紙のｐＨが低下して表面ｐＨが６．０〜７．５の範囲にすることに関する記載、ないしこれを示唆する記載がないものであるから、これらの記載から上記相違点を当業者が容易に想到するができたものとすることはできない。
　そして、本件発明１は、上記した構成により、明細書に記載された本発明のトナー転写紙は、種々の電子写真記録適性を満足すると共に、トナー定着性にも優れ、通紙適性にも優れており、更に、モノクロ記録等に於ける、インクジェット記録適性にも優れており、記録剤の発色性が良好であり、十分な画像濃度、及び黒味を有する画像が得られるという、各刊行物の記載からは予測することのできない格別な効果を奏しているものである。
　よって、本件発明１は、刊行物１〜８、10に記載された発明に基いて当業者が容易に発明をすることができたものでない。
　
　また、請求項２〜６に係る発明は、本件発明１の構成を全て引用し、さらに構成を特定するものであるから、上記と同じ理由により、刊行物１〜８、10に記載された発明に基いて当業者が容易に発明をすることができたものとすることはできない。
　
Ｖ．むすび
　以上のとおりであるから、本件請求項７に係る発明は、特許法第２９条第１項第３号の規定により特許を受けることができないものであり、本件請求項７に係る発明の特許は、拒絶の査定をしなければならないものに対してなされたものであるから、取り消されるべきものである。
　
　また、特許異議申立の理由及び証拠によっては、本件請求項１〜６に係る発明の特許を取り消すことはできない。
　また、他に本件請求項１〜６に係る発明の特許を取り消すべき理由を発見しない。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１１月１４日（２００１．１１．１４）
【訂正の要旨】
訂正の要旨
（１）訂正事項ａ
　特許請求の範囲の請求項２を、特許請求の範囲の減縮を目的として次の如く訂正する。
　「【請求項２】　溶剤中に、少なくとも黒染料及び窒素化合物を含む黒インクを用いた記録用及びトナーを用いた電子写真方式による記録用であり、坪量が６０〜９０ｇ／ｍ２の範囲にある請求項１に記載の記録紙。」
（５４）【発明の名称】
記録紙、これを用いた画像形成方法および記録紙の製造方法
（５７）【特許請求の範囲】
　【請求項１】　原紙の表面にカチオン性化合物およびでんぷんを塗布し、前記カチオン性化合物により前記原紙のｐＨが低下して表面ｐＨが６．０〜７．５の範囲にあり、かつステキヒトサイズ度が１６〜４０秒の範囲にあることを特徴とする記録紙。
　【請求項２】　
溶剤中に、少なくとも黒染料及び窒素化合物を含む黒インクを用いた記録用及びトナーを用いた電子写真方式による記録用であり、
　【請求項３】　密度が０．６〜０．８ｇ／ｍ３の範囲にある請求項１に記載の記録紙。
　【請求項４】　ＭＤ方向が５０〜１３０ｃｍ３／１００の範囲にあり、ＣＤ方向が２５〜１００ｃｍ３／１００の範囲にある剛直度を有する請求項１に記載の記録紙。
　【請求項５】　感光体上の静電荷像をトナーを有する現像手段により現像し、トナーにより現像されて形成された感光体上のトナー像を転写材に転写手段を用いて転写し、及び転写されて転写材上に形成されているトナー像を２本のローラー対にて圧力、熱またはその両方の作用を付加する定着手段により定着し定着画像を形成する画像の形成方法において、該転写材が請求項１乃至４に記載の記録紙であることを特徴とする画像形成方法。
　【請求項６】　染料、低沸点溶剤、不揮発性溶剤及び窒素化合物を含むインクを記録紙に付与して記録を行なうインクジェット記録方式であって、該記録紙が請求項１乃至４に記載の記録紙であることを特徴とする画像形成方法。
　【請求項７】　カチオン性化合物およびでんぷんを含み、かつ原紙のｐＨよりも小さいｐＨを持つ液を、前記原紙上に塗工することを特徴をする記録紙の製造方法。
【発明の詳細な説明】
　【０００１】
　【産業上の利用分野】
　本発明は、電子写真記録方式のトナー転写紙として優れた性能を示す、中性紙をベースとする記録紙及びこれを用いた画像形成方法に関する。
　【０００２】
　更に本発明は、インクジェット記録に於ても鮮明な画像を形成しうる、中性紙をベースとした記録紙及びこれを用いた画像形成方法に関する。
　【０００３】
　【従来の技術】
　電子写真方式を用いた複写機としては、例えば、光導電特性を有する感光体を、一時帯電器により帯電させた後、露光して静電潜像を形成し、１成分乃至２成分系現像方式における現像剤のトナーをもちいて上記潜像を顕像化した後、別途搬送されてきた記録紙に転写帯電器によって、上記感光体上のトナーを転写させた後、定着器ローラー等によって、熱圧力またはその両方の作用により、トナーを記録紙に定着させ、最終の複写画像を得るものが挙げられる。
　【０００４】
　このような複写機に使用される転写紙に要求される特性としては以下のものが挙げられる。
（１）適度な表面電気抵抗値及び表面平滑度を有し、トナーの転写性が良好であること、
（２）トナーの定着性が良好であること、
（３）紙紛の発生が少ないこと、即ち、発生した紙紛が、感光体や帯電ローラー等に付着し、画像不良を発生しないこと、
（４）発生した紙紛（填料等）が、感光体、給紙ローラー、定着ローラー等を削ったり、磨耗しないこと、
（５）熱によるカールを発生しないこと、
（６）湿度変化に伴う寸法の変動を発生しないこと、
（７）剛度が低く、また、適度な表面摩擦係数を有しており、搬送適性に優れていること。
　【０００５】
　一方、近年になって、紙の保存性等の問題から従来の酸性紙に替わって中性紙が使用される機会が増えてきた。特開昭５９−１９１０６８号公報には、電子写真記録適性に優れるトナー転写紙が開示されている。
　【０００６】
　また、インクジェット記録方式は、記録の高速化、カラー化、高密度化が容易なことから注目されており、インクジェット記録方式を用いた記録装置も普及している。特に、インクジェット記録方式のなかでも、モノクロ記録やビジネスカラー記録の分野では、専用紙を用いるのではなく、オフィスで容易に入手できる、低価格で汎用性のある紙に記録できることが求められている。
　【０００７】
　しかしながら、前記のトナー転写紙であって、十分なインクジェット記録適性を有するものは、現在知られていない。
　【０００８】
　【発明が解決しようとする課題】
　特に、前記の中性紙であるトナー転写紙をインクジェット記録に用いた際の問題点は、インクの定着性が不十分であること、水溶性の記録剤を用いるために記録画像に十分な耐水性がないこと、色剤の発色性が不十分であることなどが挙げられる。
　【０００９】
　そこで本発明の目的は、電子写真記録用のトナー転写紙として、前記の諸要求性能を満足し、特にトナー定着性に優れ、また、インクジェット記録方式に用いた場合でも、上記の問題点を解決した中性紙をベースとした記録紙及びこれを用いた画像形成方法を提供することにある。
　【００１０】
　【課題を解決するための手段及び作用】
　上記の目的は、以下の本発明により達成される。
　【００１１】
　即ち、本発明は、原紙の表面にカチオン性化合物およびでんぷんを塗布し、前記カチオン性化合物により前記原紙のｐＨが低下して表面ｐＨが６．０〜７．５の範囲にあり、かつステキヒトサイズ度が１６〜４０秒の範囲にある記録紙である。
　【００１２】
　更に本発明は、感光体上の静電荷像をトナーを有する現像手段により現像し、トナーにより現像されて形成された感光体上のトナー像を転写材に転写手段を用いて転写し、及び転写されて転写材上に形成されているトナー像を２本のローラー対にて圧力、熱またはその両方の作用を付加する定着手段により定着し定着画像を形成する画像の形成方法において、該転写材が上記の記録紙であることを特徴とする画像形成方法であり、更に、染料、低沸点溶剤、不揮発性溶剤及び窒素化合物を含むインクを記録紙に付与して記録を行なうインクジェット記録方式であって、該記録紙が上記の記録紙であることを特徴とする画像形成方法であることを含む。
　また本発明は、カチオン性化合物およびでんぷんを含み、かつ原紙のｐＨよりも小さいｐＨを持つ液を、前記原紙上に塗工することを特徴をする記録紙の製造方法である。
　【００１３】
　本発明者らが検討した結果、中性紙のトナー転写紙においては、特に表面ｐＨを特定の範囲内に調整することにより、より好ましくは、カチオン性樹脂を表面にサイズプレスにより付与することによって、表面ｐＨを特定の範囲内に調整することにより、電子写真記録方式に用いた際には前述した種々の電子写真記録適性に優れ、特に、トナー定着性に優れ、更に、インクジェット記録方式に用いても、インク定着性が十分であり、且つ、十分な記録画像の耐水性、色剤の発色性が得られることを知見し、本発明に至った。
　【００１４】
　本発明に用いられるトナー転写紙としての記録紙は、ＬＢＫＰ、ＮＢＫＰ等に代表される化学パルプ、サイズ剤、填料を主体とし、その他の抄紙助剤を必要に応じて用い、常法により抄紙される。使用されるパルプ材としては、機械パルプや古紙再生パルプを併用しても良く、また、これらを主体とするものであってもよい。
　【００１５】
　サイズ剤としては、ロジンサイズ、アルキルケテンダイマー、アルケニル無水コハク酸、石油樹脂系サイズ、エピクロルヒドリン、アクリルアミド等があげられる。
　【００１６】
　填料としては、炭酸カルシウム、カオリン、タルク、二酸化チタン等が挙げられる。
　【００１７】
　本発明のトナー転写紙を製造する際は、上記のサイズ剤の定着剤としての、硫酸バンドを使用しないか、あるいは使用量を極力微量にすることにより、上記の材料を水に分散して得られるパルプスラリーのｐＨを、概略７もしくはそれ以上として調整する。
　【００１８】
　本発明のトナー転写紙は、紙の表面強度や、筆記性を良くするために、上記のようにして得られた紙の表面を通常使用されるでんぷん等を用いて表面サイズプレス処理してえられる。
　【００１９】
　本発明において、転写紙の表面ｐＨは、最終的には上記のサイズプレス処理により調整される。好ましくは、上記のサイズプレス液が、原紙の表面ｐＨを低下させる物質を含むことにより上記範囲内のｐＨに調整される。更に好ましくは上記のサイズプレス液が、カチオン性化合物を含むことにより上記範囲内のｐＨ領域に調整される。
　【００２０】
　本発明で言うカチオン性化合物とは、第１級乃至３級アミノ基乃至第４級アンモニウム基、ピリジン、ピリジニウム、イミダゾール、イミダゾリニウム、スルホニウム、ホスホニウム等の官能基を主鎖または側鎖に有する化合物であり、好ましくは、これらの強酸塩である。このようなカチオン性化合物の例としては、ポリビニルアミン、ポリアリルアミン、ポリジアリルアミン、ポリジメチルアミノエチルメタアクリレート、及びその塩等のビニル系カチオン化合物のホモポリマー、あるいは、上記の官能基を有するビニルモノマーを他のビニル化合物と一部共重合させた、カチオン変性ポリビニルアルコール、ポリビニルピロリドン、ポリアクリルアミド等、あるいは、グリシジルアンモニウムクロライド等を用いて、分子内の水酸基等の官能基に上記のカチオン性官能基を付加した、カチオン化ヒドロキシエチルセルロース、カチオン化でんぷんなどが挙げられる。
　【００２１】
　以上の様にして調整される本発明のトナー転写紙の物性は、以下のように調整される。表面電気抵抗値は、１０９〜１０１２Ωの範囲内である。上記の範囲外であると、トナーの転写不良や、カブリと呼ばれる白地部のトナー汚れを発生する。
　【００２２】
　また、紙の搬送性や、カール適性の面から、坪量は６０〜９０ｇ／ｍ２、密度は０．６〜０．８ｇ／ｍ３、抄造時水分含有量は３．５〜７、剛直度はＭＤ方向が５０〜１３０ｃｍ３／１００、ＣＤ方向が２５〜１００ｃｍ３／１００の範囲内に調整される。
　【００２３】
　その他、白色度は７５％以上、不透明度は８０％以上である。
　【００２４】
　なお、上記の表面電気抵抗値はＪＩＳ−Ｃ−２１１１（２０℃／６５％ＲＨ）、坪量はＪＩＳ−Ｐ−８１２４、密度はＪＩＳ−Ｐ８１１８、水分含有量はＪＩＳ−Ｐ−８１２７、剛直度はＪＩＳ−Ｐ−８１４３、白色度はＪＩＳ−Ｐ−８１２３、不透明度はＪＩＳ−Ｐ−８１３８に従って求められる値である。
　【００２５】
　本発明の記録紙のステキヒトサイズ度の値は、１６〜４０秒の範囲である。ステキヒトサイズ度が１６秒に満たないものをインクジェット記録に用いた場合、インク滴が滲みやすくなるため、フェザリングや線太りを発生しやすく、文字の品位が十分でなくなる。一方、ステキヒトサイズ度が４０秒を越えた場合には、インク吸収性が十分ではなく、印字部のインク乾燥に時間がかかり、乾燥前に印字部が擦過されると画像汚れが発生しやすい。
　【００２６】
　図１は、電子写真方式を用いた複写機の記録手段の一例を表している。光導電特性を有する感光体３を、一時帯電器５により帯電させた後、露光して静電潜像を形成し、現像手段としての現像器６に保有されている、１成分乃至２成分系現像剤における現像剤のトナー８をもちいて上記潜像を顕像化し、トナー像を形成した後、別途搬送されてきた記録紙４に転写手段としての転写帯電器７によって、上記感光体上のトナーを転写させた後、図２に示す２つのローラー９及びローラー１０（または一つのローラーと一つのベルト）によって構成された定着手段としての定着器１３によって、熱、圧力またはその両方の作用によって、トナー像を記録紙４に定着させ、最終の複写画像を得る。上記の転写工程において発生する、記録紙４に未定着のトナー及び記録紙４から発生する紙紛は、転写工程後に配置されたクリーナー部１により除去され、感光体３がクリーニングされる。感光体３に当接したクリーニング部材２（例えば、クリーニングブレード）により感光体表面をクリーニングした後、再度、帯電等の工程が繰り返される。更に、図２に示すように定着器１３において未定着のトナー及び転写紙４から発生する紙紛は定着ローラー９に当接されたクリーニング部材１１によって清掃されると共に、シリコンオイルのごとき離型剤がローラーに塗布している。
　【００２７】
　次に、インクジェット記録方式について、以下に説明する。
　【００２８】
　インクジェット記録方法は、インクをノズルより効果的に離脱させて、射程体である記録紙にインクを付与し得る方式であり、その代表例として、特開昭５４−５９９３６号公報に記載されている方法で、熱エネルギーの作用を受けたインクが急激な体積変化を生じ、この状態変化による作用力によって、インクをノズルから吐出させるインクジェット方式をあげることができる。
　【００２９】
　インクジェット記録に使用されるインクは、記録剤としては直接染料、酸性染料、塩基性染料、反応性染料、食用色素に代表される水溶性染料や分散染料、顔料等を含むが、特に、酸性染料、直接染料を使用するものが主流である。この様な記録剤は、インク中において約０．１〜２０重量％を占める割合で使用されている。溶媒は、通常、水又は水と水溶性有機溶剤との混合溶媒であり、特に、水と水溶性有機溶剤と混合溶媒であって、水溶性有機溶剤としてインクの乾燥防止効果を有する多価アルコール等を含有する。また、酸性染料、直接染料を使用する場合には、染料の溶解助剤として、アンモニア（アンモニウムイオン）、尿素またはその誘導体、アミノアルコール、アルキルアミン、アミノ酸等の窒素化合物を含むものが多い。
　【００３０】
　本発明のトナー転写紙が、好ましい適性を有するインクジェット記録方式はモノクロ記録方式であって、特に、以下に示す黒染料を含むインクを用いる記録方式であり、更に、溶解助剤としての窒素化合物を含むインクを用いたものである。
　【００３１】
　【外１】
　【００３２】
　【外２】
　【００３３】
　【外３】
但し、ＭはＮａ又はＬｉ、ＲはＨ又はアルキル基、Ｘ１〜Ｘ５はＨ、ＳＯ３Ｙ１又はＣＯＯＹ２、Ｙ１、Ｙ２はＮａ、Ｌｉ、Ｋ又はＮＨ４である。
　【００３４】
　【実施例】
　以下に、実施例を用いて、本発明を更に詳しく説明する。
　【００３５】
　（記録紙の調製１）
　原料パルプとして、ＬＢＫＰ９０部、ＮＢＫＰ１０部を混合し、叩解した後、填料として炭酸カルシウム（エスカロン、三共製粉製）、添加剤としてアルキルケテンダイマー及びカチオンでんぷんを配合して、常法により坪量６４ｇ／ｍ２、ステキヒトサイズ度が１８秒の記録原紙を抄造した。その原紙に２％の濃度の酸化でんぷん水溶液に導電剤としての塩化ナトリウムを加えた塗工液をサイズプレスにより付与することにより、記録紙１を調整した。塩酸水溶液により、左記のサイズプレス溶液のｐＨを調整することにより、記録紙２〜４を調整した。それぞれの記録紙の表面ｐＨの値は、表１に示した。
　【００３６】
　（記録紙の調製２）
　填料としてカオリンを用い、アルキルケテンダイマーに代えて中性ロジンサイズ剤（サイズパインＮＴ、荒川化学製）を用いた以外は、上記の方法と同様にして、坪量が６７ｇ／ｍ２、ステキヒトサイズ度が１６秒の記録原紙を抄造した。その原紙に、記録紙１と同様の塗工液を塗布することにより記録紙５を調製し、また下記の組成のサイズプレス用塗工液を調整し、サイズプレスにより塗布することによって、記録紙６〜８を夫々調製した。それぞれの記録紙の表面ｐＨの値は、表１に示した。
　【００３７】
　＜サイズプレス液組成＞
酸化でんぷん（ＭＳ−３８００、日本食品製）　　　　　　　　　２部
ポリアリルアミン塩酸塩（ＰＡＡＨＣＬ１０Ｌ、日東紡製）　　　Ｘ部
水　　　　　　　　　　　　　　　　　　　　　　　　　　９８−Ｘ部
記録紙６；Ｘ＝０．０４、記録紙７；Ｘ＝０．１、記録紙８；Ｘ＝１
　【００３８】
　（電子写真記録適性の評価）
　電子写真記録適性は、図１、図２に示す画像形成装置及び定着器を有するキヤノン製複写機ＮＰ−９８００、ＣＬＣ−５００（いずれも商品名）を用いたコピー画質について、ａ；良好（色味、色再現、色彩性が良い）、ｂ；若干劣る、ｃ；不良（色彩が鈍く、ヌケがある）の３段階で評価した。その結果を、表１に示した。
　【００３９】
　（インクジェット記録適性の評価）
　下記の各インクを用いて、１ｍｍあたり１４本の記録ノズルを有する、熱の作用でインク滴を吐出させるインクジェット記録方式のヘッドを搭載したインクジェット記録装置により記録を行ない、下記の記録適性を評価した。その結果を、表１に示した。
　【００４０】
＜インク組成＞
染料　　　　　３部
グリセリン　　６部
エタノール　　６部
尿素　　　　　６部
水　　　　　　７９部
　【００４１】
　インクＩ；前記の染料の具体例において、▲９▼の染料を用いたもの（ただし、Ｘ１：５ーＣＯＯＮＨ４、Ｘ２：３ーＣＯＯＮＨ４、Ｘ３、Ｘ４：Ｈ、Ｙ１：ＮＨ４、Ｒ、Ｘ５：Ｈ）
　インクＩＩ；前記の染料の具体例において、▲１▼及び▲２▼の染料の混合物を用いたもの（ただし、Ｍ：Ｌｉ、Ｒ：Ｈ）
　【００４２】
　（評価項目）
（１）画像濃度
　前記の記録装置を用いて、黒ベタを印字し印字部の画像濃度を、マクベス濃度計（ＲＤ−９１８）を用いて求めた。
（２）耐水性
　前記の記録装置を用いて印字し、印字後１時間経過した後、印字物を室温の水道水中に３秒間浸漬した後ひきあげ、自然乾燥させた。乾燥後画像に全く変化のないものを◎、印字部分に変化はないが白地部への尾引き（流れ出した染料の再付着）が若干見られるものを○、印字部がボヤけて不鮮明であり白地部への尾引きのひどいものを△、印字部が判読不能であるものを×と評価した。
（３）黒の色味
　画像濃度の測定と同様の印字部において、印字部が黒く認識できるものを○、コゲ茶色に見えるものを×、その中位のものを△とした。
（４）文字品位
　３Ｘ３ｍｍの大きさのキャラクター”ａ、ｂ、ｃ”が、エッジがシャ−プで鮮明な文字として見えるものを○、エッジが不鮮明であり、文字がつぶれてしまったものを×とする。
（５）擦過性
　印字物を印字後１５秒経過した後、シルボン−Ｃ紙（商品名）にて、４０ｇｆ／ｃｍ２の加重にて擦過した。汚れの発生しないものを○、発生するものを×とする。
　【００４３】
　【表１】
　【００４４】
　【発明の効果】
　本発明のトナー転写紙は、前述の、諸物性を有する電子写真適性に優れるように、抄造された中性紙のトナー転写紙であり、更に、前述したカチオン化合物の強酸塩等を含むサイズプレスによって、表面ｐＨを６．０〜７．５の範囲内に調整して得られる。このような本発明のトナー転写紙は、種々の電子写真記録適性を満足すると共に、更に、トナー定着性にも優れており、更に、通紙適性にも優れている。
　【００４５】
　更に、本発明のトナー転写紙は、モノクロ記録等に於ける、インクジェット記録適性にも優れており、記録剤の発色性が良好であり、十分な画像濃度、及び黒味を有する画像が得られる。特に中性紙であって過度に高い表面ｐＨを有する従来の中性紙は、画像耐水性の面で不十分なものが多く、また、十分な色味（黒味）を発現するものが少なかった。本発明は、この点で効果的である。
【図面の簡単な説明】
　【図１】
　電子写真方式を用いた複写機の記録手段の一例を示す。
　【図２】
　電子写真方式を用いた複写機の定着器の一例を示す。
　【符号の説明】
１　クリーナー部
２　クリーニング部材
３　感光体
４　記録紙
５　帯電器
６　現像器
８　トナー
９、１０　ローラー
１１　クリーニング部材
１３　定着器